(57)【特許請求の範囲】
【請求項１】
洗浄液保存容器と、該洗浄液保存容器と結合される洗浄室の形成されたキャップ本体及び該キャップ本体の上部開口を開閉する蓋を有する容器キャップとを備え、前記洗浄液保存容器から前記キャップ本体の洗浄室に至る洗浄液流路が形成されたコンタクトレンズ洗浄容器であって、
前記洗浄室内に配置され、コンタクトレンズを保持するコンタクトレンズ保持体を有し、
前記蓋は、ヒンジにより前記キャップ本体の上部開口を閉塞する位置と開放する位置との間で枢転する構造となり、
前記コンタクトレンズ保持体は、前記蓋の内側面から突出して設けられ、前記蓋が前記キャップ本体の上部開口を閉塞した状態で前記コンタクトレンズ保持体が前記洗浄室に配置され、前記蓋が前記キャップ本体の上部開口を開放する状態で前記洗浄室の外部に配置されることを特徴とするコンタクトレンズ洗浄容器。
【請求項２】
前記コンタクトレンズ保持体は、第一籠状収容部と第二籠状収容部と前記第一籠状収容部及び第二籠状収容部を支持する支持基体とを有することを特徴とする請求項１記載のコンタクトレンズ洗浄容器。
【請求項３】
前記コンタクトレンズ保持体は、所定の間隔をもって相互に対向する第一保持板部と第二保持板部とを備え、前記第一保持板部と前記第二保持板部によりコンタクトレンズを挟んで保持する構造となることを特徴とする請求項１記載のコンタクトレンズ洗浄容器。
【請求項４】
前記第一保持板部及び前記第二保持板部それぞれの対向する面にコンタクトレンズを支持する支持凹部が形成されたことを特徴とする請求項３記載のコンタクトレンズ洗浄容器。
【請求項５】
洗浄液保存容器に結合される洗浄室の形成されたキャップ本体と、該キャップ本体の上部開口を開閉する蓋と、前記洗浄液保存容器から延びる洗浄液流路に連結し、前記洗浄室に洗浄液を導く洗浄液導入筒とを備え、
前記洗浄室内に配置され、コンタクトレンズを保持するコンタクトレンズ保持体を有し、
前記蓋は、ヒンジにより前記キャップ本体の上部開口を閉塞する位置と開放する位置との間で枢転する構造となり、
前記コンタクトレンズ保持体は、前記蓋の内側面から突出して設けられ、前記蓋が前記キャップ本体の上部開口を閉塞した状態で前記コンタクトレンズ保持体が前記洗浄室に配置され、前記蓋が前記キャップ本体の上部開口を開放する状態で前記洗浄室の外部に配置されることを特徴とする容器キャップ。
【発明の詳細な説明】
【０００１】
【発明の属する技術分野】
本発明は、コンタクトレンズ洗浄容器に係り、詳しくは、容器内に貯められた洗浄液にコンタクトレンズを浸して当該コンタクトレンズを洗浄するコンタクトレンズ洗浄容器に関する。
【０００２】
また、本発明は、このようなコンタクトレンズ洗浄容器に用いられる容器キャップ体に関する。
【０００３】
【従来の技術】
コンタクトレンズは、一定期間使用後に、付着したたんぱく質等の異物を洗浄するために洗浄液に浸して洗浄しなければならない。従来のコンタクトレンズ洗浄容器は、例えば、１回の洗浄に必要な量の洗浄液を蓄積する容器本体と、それに着脱自在な栓とを有し、前記栓にレンズ保持体が一体となった構造となっている（例えば、特許文献１参照）。このようなコンタクトレンズ洗浄容器では、容器本体内に１回の洗浄に必要な量の洗浄液を満たし、レンズ保持体にコンタクトレンズがセットされた栓を前記洗浄液の満たされた容易本体に嵌め込む。このようにしてコンタクトレンズを容器本体内の洗浄液に浸すことにより当該コンタクトレンズの洗浄がなされる。
【０００４】
ところで、前述した従来のコンタクトレンズ洗浄容器は、その容器本体内に蓄積できる洗浄液の量は１回の洗浄に必要な量となっていることから、コンタクトレンズを洗浄する毎に、別の洗浄液保存容器（例えば、特許文献２参照）から前記容器本体に洗浄液を注入することとなる。
【０００５】
【特許文献１】
特開平１０−５２４７７号公報
【特許文献２】
特開２００１−１８０７５９号公報
【０００６】
【発明が解決しようとする課題】
しかし、従来のコンタクトレンズ洗浄容器では、前述したように必ずそれとは別に洗浄液保存容器が必要となることから、比較的小さいそのコンタクトレンズ洗浄容器の容器本体に別の洗浄液保存容器から洗浄液を注入する等、コンタクトレンズを洗浄するための準備作業がコンタクトレンズ利用者にとってわずらわしいものとなっている。
【０００７】
本発明は、そのような従来のコンタクトレンズ洗浄容器の欠点を解消するものであり、コンタクトレンズの洗浄するための準備作業が容易にできるコンタクトレンズ洗浄容器を提供するものである。
【０００８】
また、本発明は、そのようなコンタクトレンズ洗浄容器に適用される容器キャップ体を提供するものである。
【０００９】
本発明に係るコンタクトレンズ洗浄容器は、洗浄液保存容器と、該洗浄液保存容器と結合される洗浄室の形成されたキャップ本体及び該キャップ本体の上部開口を開閉する蓋を有する容器キャップとを備え、前記洗浄液保存容器から前記キャップ本体の洗浄室に至る洗浄液流路が形成されたコンタクトレンズ洗浄容器であって、前記洗浄室内に配置され、コンタクトレンズを保持するコンタクトレンズ保持体を有し、前記蓋は、ヒンジにより前記キャップ本体の上部開口を閉塞する位置と開放する位置との間で枢転する構造となり、前記コンタクトレンズ保持体は、前記蓋の内側面から突出して設けられ、前記蓋が前記キャップ本体の上部開口を閉塞した状態で前記コンタクトレンズ保持体が前記洗浄室に配置され、前記蓋が前記キャップ本体の上部開口を開放する状態で前記洗浄室の外部に配置される構成となる。
【００１０】
このような構成により、洗浄液保存容器から洗浄液流路を介してキャップ本体の洗浄室に洗浄液が導き入れられ、該洗浄室に適量の洗浄液が貯められる。この状態で、洗浄室内に配置されるコンタクトレンズ保持体に保持されたコンタクトレンズが洗浄液に浸され、そのコンタクトレンズの洗浄がなされる。
【００１２】
前記コンタクトレンズ保持体が前記蓋の内側面から突出して設けられるので、前記蓋が前記キャップ本体の上部開口を開放する際にコンタクトレンズ保持体が前記蓋の動きに伴って洗浄室内部から引き出されるようにすることができる。
【００１３】
また、前記コンタクトレンズ保持体が前記蓋の内側面から突出して設けられ、前記蓋がヒンジにより前記キャップ本体の上部開口を閉塞する位置と開放する位置との間で枢転する構造であるので、前記蓋の枢転動作によりコンタクトレンズ保持体の前記洗浄室への挿入、引き出しが可能となり、その作業を容易に行ない得ることとなる。
【００１４】
更に、本発明に係るコンタクトレンズ洗浄容器において、前記コンタクトレンズ保持体は、第一籠状収容部と第二籠状収容部と前記第一籠状収容部及び第二籠状収容部を支持する支持基体とを有する構成とすることができる。
【００１５】
また、前記支持基体は、前記第一籠状収容部と第二籠状収容部とを離間配置させるように支持することもできる。このような構成により、第一籠状収容部と第二籠状収容部とが離間配置されるので、比較的狭い洗浄室内に洗浄液保存容器から続く洗浄液流路の一部等の突起物が存在する場合であっても、前記蓋が前記キャップ本体の上部開口を閉塞及び開放する際に第一籠状収容部及び第二籠状収容部が前記突起物に干渉しないようにすることが可能となる。前記第一籠状収容部及び前記第二籠状収容部には、所謂ソフトコンタクトレンズを収容することができる。
【００１６】
また、本発明に係るコンタクトレンズ洗浄容器において、前記コンタクトレンズ保持体は、所定の間隔をもって相互に対向する第一保持板部と第二保持板部とを備え、前記第一保持板部と前記第二保持板部によりコンタクトレンズを挟んで保持する構造となるように構成することができる。
【００１７】
このような構成により、第一保持板部と第二保持板部との間に、所謂ハードコンタクトレンズを挟むことによりそのハードコンタクトレンズを保持することが可能となる。
【００１８】
前記第一保持板部及び前記第二保持板部それぞれの対向する面にコンタクトレンズを支持する支持凹部が形成された構成とすることができる。
【００１９】
このような構成により、前記第一保持板部の支持凹部と前記第二保持板部の支持凹部によってハードコンタクトレンズの周辺部を確実に支持できるようになる。
【００２０】
本発明に係る容器キャップは、洗浄液保存容器に結合される洗浄室の形成されたキャップ本体と、該キャップ本体の上部開口を開閉する蓋と、前記洗浄液保存容器から延びる洗浄液流路に連結し、前記洗浄室に洗浄液を導く洗浄液導入筒とを備え、前記洗浄室内に配置され、コンタクトレンズを保持するコンタクトレンズ保持体を有し、前記蓋は、ヒンジにより前記キャップ本体の上部開口を閉塞する位置と開放する位置との間で枢転する構造となり、前記コンタクトレンズ保持体は、前記蓋の内側面から突出して設けられ、前記蓋が前記キャップ本体の上部開口を閉塞した状態で前記コンタクトレンズ保持体が前記洗浄室に配置され、前記蓋が前記キャップ本体の上部開口を開放する状態で前記洗浄室の外部に配置されるような構成となる。
【００２１】
このような構成となる容器キャップのキャップ本体を洗浄液保存容器に結合することにより、前述したコンタクトレンズ洗浄容器を形成することが可能となる。
【００２２】
【実施の形態】
以下、本発明の実施の形態について、図面を用いて説明する。
【００２３】
本発明の第一の実施の形態に係るコンタクト洗浄容器は、図１乃至図４に示すように構成される。
【００２４】
図１は、コンタクトレンズ洗浄容器の断面を示す。図１において、このコンタクトレンズ洗浄容器は、洗浄液保存容器１０と容器キャップ２０とを有する。洗浄液保存容器１０は、容器本体部１１とその上端に位置する容器ネック部１２とを有し、ポリプロピレン、ポリエチレン、塩化ビニール等のプラスチック素材にて形成される。容器本体部１１は外部からの圧力により変形が容易となる圧搾性を有するように形成され、容器ネック部１２の外周には螺条が形成されている。
【００２５】
容器キャップ２０は、キャップ本体３０と蓋ユニット４０とを有し、例えば、前述した洗浄液保存容器１０の素材と同種の素材にて形成される。キャップ本体３０は筒状となり、貯液容器部３０ａと結合部３０ｂとを有している。貯液容器部３０ａは、上端が開放されると共に下端に底板部３２が形成され、底板部３２より上方の空間が洗浄室３５となる。結合部３０ｂの内側壁には前述した洗浄液保存容器１０の容器ネック部１２に形成された螺条に係合する螺条が形成され、結合部３０ｂと容器ネック部１２とが螺合することにより洗浄液保存容器１０とキャップ本体３０とが結合する。
【００２６】
貯液容器部３０ａの底板部３２の所定位置には導入筒体３１が形成され、導入筒体３１に洗浄液保存容器１０内に延びるディップチューブ１３が嵌合している。導入筒部３１の先端側部には注入口（図示省略）が形成されており、ディップチューブ１３及び導入筒体３１にて洗浄液保存容器１０からキャップ本体３０の洗浄室３５に至る洗浄液流路が形成される。この洗浄液流路を通して洗浄液保存容器１０内の洗浄液が洗浄室３５に導入される。
【００２７】
蓋ユニット４０は、一体となる蓋体４１及び連結リング４２を有している。蓋体４１と連結リング４２との境界にはヒンジ部４５が形成されている。連結リング４２が筒状となるキャップ本体３１の貯液容器部３０ａの上端開口部に嵌着されることにより、蓋ユニット４０がキャップ本体３１に固定される。蓋体４１は、ヒンジ部４５を軸にして、図２に示すように、貯液容器部３０ａの上端に位置する連結リング４２の開口４７（貯液容器部３０ａの開口に相当）を開放する位置（以下、開放位置という）と、図１に示すように、開口４７を閉塞する位置（以下、閉塞位置という）との間で枢転可能となる。蓋体４１は、閉塞位置で連結リング４２の周縁部に僅かにクリック嵌合する。これにより、蓋体４１による開口４７の閉塞状態が維持される。なお、図２（ａ）は、蓋体４１が開口４２を開放した状態を示す平面図であり、図２（ｂ）は、図２（ａ）のＡ−Ａ断面を表している。以下、図１と共に図２（ａ）、図２（ｂ）を参照して、蓋ユニット４０を更に詳細に説明する。
【００２８】
蓋体４１の内側面には、該内側面から突出する閉塞筒４３及び支持角筒４４が立設されている。閉塞筒４３は、蓋体４１が開口４７を閉塞した状態で、貯液容器部３０ａ内に形成された導入筒体３１の先端部に嵌合する位置に設けられる。これにより、蓋体４１が開口４７を閉塞すると、導入筒体３１の先端部に閉塞筒４３が嵌合し、導入筒体３１から洗浄室３５に洗浄液が漏れることが防止される。支持角筒４４は、閉塞４３とヒンジ部４５との間に位置するように設けられている。支持角筒４４の対向する内壁面の上部所定位置に線上係止突起４４ａ、４４ｂが形成されるとともに、それら対向する内壁面の下部所定位置に線上係止突起４４ｃ、４４ｄが形成されている。支持角筒４４は、図１に示すように、ソフトコンタクトレンズ用のコンタクトレンズ保持体５０を固定支持する。これにより、蓋体４１の内側面からコンタクト保持体５０が突出した構造となって、蓋体４１が開口４７を閉塞すると、コンタクトレンズ保持体５０が貯液容器部３０ａの洗浄室３５内に配置されることとなる。
【００２９】
コンタクトレンズ保持体５０は、図３に示すように構成される。図３（ａ）、（ｂ）は正面図、同図（ｃ）は側面図、同図（ｄ）は部分上面図、同図（ｄ）は部分底面図である。
【００３０】
図３に示すように、コンタクトレンズ保持体５０は、第一支持体５１ａ、第二支持体５１ｂ及びそれらを所定間隔に離間させて連結する連結部５１ｃにより断面略Ｕ字状に形成された支持基体５１と、支持基体５１の連結部５１ｃから外方に突出する支柱５２とを有する。第一支持体５１ａの外側面には第一籠状部５３ａがヒンジ結合すると共に、第二支持体５１ｂの外側面には第二籠状部５３ｂがヒンジ結合している。このヒンジ結合により、第一籠状部５３ａ及び第二籠状部５３ｂは、図３（ａ）に示すような開放位置と図３（ｂ）に示すセット位置との間で枢転可能となる。第一籠状部５３ａ及び第二籠状部５３ｂそれぞれのヒンジ部と対向する位置には係止片５４ａ、５４ｂが設けられており、前記セット位置にて係止片５４ａ、５４ｂが第一支持体５１ａ及び第二支持体５１ｂのエッジ部にクリック係止され、第一籠状部５３ａ及び第二籠状部５３ｂが第一支持体５１ａ及び第二支持体５１ｂに固定される。
【００３１】
図３（ａ）、（ｂ）、（ｃ）に示すように、支柱５２の対向する外壁面にはその根元部所定位置に線上係止突起５２ａ、５２ｂが形成されるとともに、その先端部所定位置に線上係止突起５２ｃ、５２ｄが形成されている。これら線上係止突起５２ａ、５２ｂ、５２ｃ、５２ｄは、前述した蓋体４１に設けられた支持角筒４４の内壁に形成された線上支持突起４４ａ、４４ｂ、４４ｃ、４４ｄに対応するものである。コンタクトレンズ保持体５０の支柱５２を蓋体４１に設けられた支持角筒４４に嵌入すると、支柱５２と支持角筒４４の対応する線上係止突起により支柱５２が支持角筒４４内に係止される。これにより、図４に示すように、コンタクトレンズ保持体５０が蓋体４１の支持角筒４４にて固定支持される。
【００３２】
前述したような構造のコンタクトレンズ洗浄容器にてソフトコンタクトレンズを洗浄する際の準備作業は次のようにしてなされる。
【００３３】
蓋体４１を図４に示すように開放位置まで枢転させる。この状態で、コンタクトレンズ保持体５０の第一籠状部５３ａ及び第二籠状部５３ｂを開放位置にし（図３（ａ）参照）、洗浄すべき左右のソフトコンタクトレンズを第一籠状部５３ａ及び第二籠状部５３ｂ内に収容し、第一籠状部５３ａ及び第二籠状部５３ｂをセット位置に戻す（図３（ｂ）参照）。次いで、洗浄液保存容器１０の容器本体部１１を圧搾することにより洗浄液保存容器１０内の洗浄液をディップチューブ１３及び導入筒体３１を通してキャップ本体３０の洗浄室３５内に適量となるまで注入する。そして、蓋体４１を図１に示すように、閉塞位置に戻す。この状態で、洗浄液で満たされる洗浄室３５内にコンタクトレンズ保持体５０が配置され、第一籠状部５３ａ及び第二籠状部５３ｂ内のソフトコンタクトレンズが洗浄液に浸される。これにより、ソフトコンタクトレンズの洗浄がなされる。
【００３４】
前述したようなコンタクトレンズ洗浄容器によれば、洗浄液保存容器１０と洗浄室３５が形成された容器キャップ２０が一体となっているため、洗浄液を保存するための容器と、コンタクトレンズを洗浄するための容器とを別々に扱う必要がない。そのため、コンタクトレンズを洗浄するための準備作業が容易なものとなる。また、蓋体４１にコンタクトレンズ保持体５０が一体的になっているので、蓋体４１を閉塞位置にするだけで、コンタクトレンズを洗浄室３５内の洗浄液に確実に浸すことができるようになる。
【００３５】
また、コンタクトレンズ保持体５０は、図３に示すように、第一籠状部５３ａと第二籠状部５３ｂとが所定間隔離間されているので、ヒンジ部４５を軸にして蓋体４１を閉塞位置まで戻す際に、洗浄室３５の底板部３２から突出する導入筒体３１に第一籠状部５３ａ及び第二籠状部５３ｂが干渉することを防止することができる。そのため、容器キャップ２０の小型化を図ることができる。なお、洗浄室３５内の構造により特に干渉の問題がなければ、第一籠状部５３ａと第二籠状部５３ｂとを離間配置させずに一体化することも当然可能である。
【００３６】
本発明の第二の実施の形態に係るコンタクトレンズ洗浄容器について図５乃至図７を参照して説明する。この第二の実施の形態に係るコンタクトレンズ洗浄容器は、所謂ハードコンタクトレンズの洗浄に適している点で前述した第一の実施の形態に係るコンタクトレンズ洗浄容器と相違する。
【００３７】
図５は、コンタクトレンズ洗浄容器の断面を示す。図５において、このコンタクトレンズ洗浄容器も、前述した第一の実施の形態に係るコンタクトレンズ洗浄容器と同様に、容器本体１１と容器ネック部１２とを備えた洗浄液保存容器１０と、容器ネック部１２と螺合する結合部３０ｂ及び貯液容器部３０ａからなるキャップ本体３０と蓋ユニット４０とを備えた容器キャップ２０とを有する。また、蓋ユニット４０も、前述した第一の実施の形態に係るコンタクトレンズ洗浄容器の場合と同様に、閉塞筒体４３が形成された蓋体４１と、開口周縁体４６を備えた連結リング体４２とがヒンジ部４５を介して一体となる構造となっている。
【００３８】
蓋体４１の内側面には、前述した支持角筒４４（図１、図２、図４参照）に代えて、ハードコンタクトレンズ用のコンタクトレンズ保持体６０が前記内側面から突出するように直接形成されている。コンタクトレンズ保持体６０の詳細な構造は図６に示される。なお、図６（ａ）は、蓋体４１が開放位置にある状態を示す平面図であり、図６（ｂ）は、図６（ａ）のＢ−Ｂ断面を表している。コンタクトレンズ保持体６０は、閉塞筒体４３とヒンジ部４５との間に位置するように形成される。コンタクトレンズ保持体６０は、ヒンジ部４５と略平行な方向に配列され、それぞれ対向する第一保持板６０ａと第二保持板６０ｂとを有している。第一保持板６０ａと第二保持板６０ｂとの間隔は、洗浄すべきコンタクトレンズの直径に基づいて決められる。第一保持板６０ａの第二保持板６０ｂに対向する面の所定位置には２つの支持凹部６１ａ、６２ａが所定の間隔で形成されている。第二保持板部６０ｂの第一保持板部６０ａに対向する面には支持凹部６１ａ、６２ａに対向するように支持凹部６１ｂ、６２ｂが形成されている。
【００３９】
このような構造のコンタクトレンズ保持体６０では、図７に示すように、ハードコンタクトレンズ１００が第一保持板６０ａと第二保持板６０ｂとに挟まれるとともに、第一保持板６０ａの支持凹部６１ａと第二保持板６０ｂの支持凹部６１ｂにてハードコンタクトレンズ１００の周辺部が支持される。第一保持板６０ａと第二保持板６０ｂを可撓性のある樹脂で形成するとともにそれらの間隔を洗浄すべきハードコンタクトレンズ１００の直径より僅かに小さく設定する。これにより、ハードコンタクトレンズ１００により僅かに押し広げられた第一保持板６０ａと第二保持板６０ｂの復元力によりハードコンタクトレンズ１００が確実に支持されることとなる。
【００４０】
なお、同径となる他のハードコンタクトレンズ１００も、第一保持板６０ａの支持凹部６２ａと第二保持板６０ｂの支持凹部６２ｂにその周辺部が支持されることにより、第一保持板６０ａと第二保持板６０ｂとの間に保持される。
【００４１】
前述したような構造のコンタクトレンズ洗浄容器にてハードコンタクトレンズを洗浄する際の準備作業は次のようにしてなされる。
【００４２】
蓋体４１を図６に示すように開放位置まで枢転させる。この状態で、右用のハードコンタクトレンズを第一支持板６０ａの支持凹部６１ａと第二支持板６０ｂの支持凹部６１ｂとによってその周辺部が支持されように第一支持板６０ａと第二支持板６０ｂとの間に保持させるとともに（図７参照）、左用のハードコンタクトレンズを第一支持板６０ａの支持凹部６２ａと第二支持板６０ｂの支持凹部６２ｂとによってその周辺部が支持されるように第一支持板６０ａと第二支持板６０ｂとの間に保持させる。次いで、洗浄液保存容器１０の容器本体部１１を圧搾することにより洗浄液保存容器１０内の洗浄液をディップチューブ１３及び導入筒体３１を通してキャップ本体３０の洗浄室３５内に適量となるまで注入する。そして、蓋体４１を図５に示すように、閉塞位置に戻す。この状態で、洗浄液が満たされる洗浄室３５内にコンタクトレンズ保持体６０が配置され、そのコンタクトレンズ保持体６０に上述したように保持された右用及び左用のハードコンタクトレンズが洗浄液に浸される。これにより、各ハードコンタクトレンズの洗浄がなされる。
【００４３】
前述したようなコンタクトレンズ洗浄容器によれば、第一の実施の形態に係るコンタクトレンズ洗浄容器の場合と同様に、洗浄液を保存するための容器と、コンタクトレンズを洗浄するための容器とを別々に扱う必要がなく、コンタクトレンズを洗浄するための準備作業が容易なものとなる。また、この場合も、蓋体４１にコンタクトレンズ保持体６０が一体的になっているので、蓋体４１を閉塞位置にするだけで、コンタクトレンズを洗浄室３５内の洗浄液に確実に浸すことができるようになる。
【００４４】
なお、前述した各例では、蓋体４１がヒンジ部４５によってキャップ本体３０に結合されているが、コンタクトレンズ保持体５０（または６０）が内側面に設けられた蓋体４１をキャップ本体３０から着脱自在に構成することもできる。
【００４５】
また、コンタクトレンズ保持体５０（または６０）は、蓋体４１に設けるのではなく、キャップ本体３０の洗浄室３５内に設けることもできる。この場合、コンタクトレンズ保持体の具体的な構造は、許容されるキャップ本体３０の大きさ、コンタクトレンズの着脱のし易さ等を考慮して決められることができる。
【００４６】
【発明の効果】
以上、説明したように、本願発明によれば、洗浄液を保存する洗浄液保存容器と、洗浄室を有する容器キャップとを結合して洗浄液保存容器から洗浄室に至る洗浄液流路を形成すると共に、洗浄液室にコンタクト保持体を配置するようにしたので、洗浄液を保存する容器と、コンタクトレンズを洗浄するための容器とを別々に扱う必要がなくなり、コンタクトレンズの洗浄するための準備作業が容易にできるようになる。
【図面の簡単な説明】
【図１】本発明の第一の実施の形態に係るコンタクトレンズ洗浄容器の断面図。
【図２】図１に示すコンタクト洗浄容器における容器キャップ体の構造を示す図。
【図３】コンタクトレンズ保持体の構造を示す図。
【図４】コンタクトレンズ保持体を装着した状態での容器キャップの構造を示す図。
【図５】本発明の第二の実施の形態に係るコンタクトレンズ洗浄容器の断面図。
【図６】図５に示すコンタクト洗浄容器における容器キャップ体の構図を示す図。
【図７】コンタクトレンズ保持体の断面図。
【符号の説明】
１０  洗浄液保存容器部
１１  容器本体部
１２  容器ネック部
１３  ディップチューブ
２０  容器キャップ体
３０  キャップ本体
３０ａ  貯液容器部
３０ｂ  結合部
３１  導入筒体
３２  底板部
３５  洗浄室
４０  蓋ユニット
４１  蓋本体
４２  連結リング体
４３  閉塞筒
４４  支持角筒
４４ａ、４４ｂ、４４ｃ、４４ｄ  線状係止突起
４５  ヒンジ部
４６  開口周縁体
４７  開口
５０  コンタクトレンズ保持体
５１  支持基体
５１ａ  第一支持体
５２ｂ  第二支持体
５２  支柱
５２ａ、５２ｂ、５２ｃ、５２ｄ  線状係止突起
５３ａ  第一籠状部
５３ｂ  第二籠状部
５４ａ、５４ｂ  係止片
６０  コンタクトレンズ保持体
６０ａ  第一保持板
６０ｂ  第二保持板
６１ａ、６１ｂ  支持凹部
６２ａ、６２ｂ  支持凹部
【図１】
0004687860.tif 000002
【図２】
0004687860.tif 000003
【図３】
0004687860.tif 000004
【図４】
0004687860.tif 000005
【図５】
0004687860.tif 000006
【図６】
0004687860.tif 000007
【図７】
0004687860.tif 000008